(57)【要約】  製造コストを抑えつつ、室外機筐体に取り付けられたサーミスタの沿面距離を一定以上確保することができる空気調和機の室外機を提供することを課題とする。本発明の空気調和機の室外機は、室外機筐体に取り付けられた外気温サーミスタホルダーを備え、外気温サーミスタホルダーはサーミスタを収納する収納部を含み、収納部の第１外側面におけるサーミスタの収納位置に対応する位置に第１隆起部が形成されており、第１外側面の反対側の外側面である第２外側面におけるサーミスタの収納位置に対応する位置に第２隆起部が形成されている。
2018055725.tif 000002
【特許請求の範囲】
【請求項１】
冷凍サイクルの構成部品を備える筐体と、前記筐体の表面に取り付けられた外気温サーミスタホルダーと、を備え、前記外気温サーミスタホルダーはサーミスタを収納する収納部を含み、前記収納部の第１外側面における前記サーミスタの固定位置に対応する位置に第１隆起部が形成されており、前記第１外側面の反対側の外側面である第２外側面における前記サーミスタの固定位置に対応する位置に第２隆起部が形成されていることを特徴とする空気調和機の室外機。
【請求項２】
前記サーミスタの表面から前記第１隆起部の頂点までの距離、及び前記サーミスタの表面から前記第２隆起部の頂点までの距離がそれぞれ４．０ｍｍ以上であることを特徴とする請求項１に記載の空気調和機の室外機。
【請求項３】
前記サーミスタが前記収納部の厚み方向の中心位置に固定され、且つ、前記第１外側面からの前記第１隆起部の高さと、前記第２外側面からの前記第２隆起部の高さとが等しいことを特徴とする請求項１又は２に記載の空気調和機の室外機。
【請求項４】
前記収納部の第１内側面に前記サーミスタを狭持する一対の爪部からなる狭持部が形成されていることを特徴とする請求項１〜３のいずれか１項に記載の空気調和機の室外機。
【請求項５】
前記一対の爪部の間に形成された第１突起部と、前記第１内側面に対面する第２内側面上における、前記第１突起部に対向する位置に形成された第２突起部と、を含み、前記第１突起部の頂点及び前記第２突起部の頂点の各々が前記サーミスタの表面に当接していることを特徴とする請求項４に記載の空気調和機の室外機。
【請求項６】
前記第１隆起部の頂点から前記第１突起部の頂点までの距離が４．０ｍｍ以上であり、且つ、前記第２隆起部の頂点から前記第２隆起部の頂点までの距離が４．０ｍｍ以上であることを特徴とする請求項５に記載の空気調和機の室外機。
【請求項７】
前記サーミスタが前記収納部の厚み方向の中心位置に固定され、且つ、前記第１隆起部の頂点から前記第１突起部の頂点までの距離と、前記第２隆起部の頂点から前記第２隆起部の頂点までの距離とが等しいことを特徴とする請求項６に記載の空気調和機の室外機。
【請求項８】
前記収納部は、前記第１外側面から前記第１内側面に至る複数の第１スリットと、前記第２外側面から前記第２内側面に至る複数の第２スリットと、を含み、
前記複数の第１スリット及び前記複数の第２スリットは前記サーミスタの長手方向に沿って設けられており、
前記第１隆起部は複数の第１隆起片からなり、前記第１隆起片は前記複数の第１スリットの間に形成され、且つ、前記第２隆起部は複数の第２隆起片からなり、前記第２隆起片は前記複数の第２スリットの間に形成されていることを特徴とする請求項１〜７のいずれか１項に記載の空気調和機の室外機。
【請求項９】
前記第１突起部は複数の第１突起片からなり、前記第１突起片は前記複数の第１スリットの間に形成され、且つ、前記第２突起部は複数の第２突起片からなり、前記第２突起片は前記複数の第２スリットの間に形成されていることを特徴とする請求項８に記載の空気調和機の室外機。
【請求項１０】
前記第１隆起部及び前記第２隆起部の各々は、収納部の厚み方向断面視で円弧形状であることを特徴とする請求項１〜９のいずれか１項に記載の空気調和機の室外機。
【請求項１１】
前記サーミスタは円柱形状であり、
前記第１隆起部及び前記第２隆起部の各々の前記円弧形状は、前記サーミスタの断面円形状と相似形を呈することを特徴とする請求項１０に記載の空気調和機の室外機。
【請求項１２】
前記外気温サーミスタホルダーは、前記第１外側面又は前記第２外側面と前記筐体の表面とが対面するように取り付けられていることを特徴とする請求項１〜１１のいずれか1項に記載の空気調和機の室外機。
【発明の詳細な説明】
【技術分野】
【０００１】
この発明は、外気温サーミスタを備えた空気調和機の室外機に関する。
【背景技術】
【０００２】
外気温度を測定するためのサーミスタを収納する外気温サーミスタホルダーが筐体パネルに取り付けられた空気調和機の室外機が知られている。一般的に、外気温サーミスタホルダーは、室外機へのサーミスタの取付けとサーミスタの沿面距離の確保の役割を兼ねている。例えば、特許文献１には、サーミスタを外部から触れることができず、且つサーミスタを工具無しでは取り外すことができない構造を有する外気温サーミスタホルダーを備えた空気調和機の室外機が開示されている。
【先行技術文献】
【特許文献】
【０００３】
【特許文献１】特開２０１１−１３７５９８号公報
【発明の概要】
【発明が解決しようとする課題】
【０００４】
ところで、安全に関する業界規格上、サーミスタの沿面距離を一定以上確保しなければならない場合がある。例えば、密閉形電動圧縮機をもつヒートポンプ装置等についての安全規格である日本工業規格ＪＩＳ  Ｃ  ９３３５−２−４０  第２９項の規定において、ミクロ環境の汚損度３に該当する機種の場合には、サーミスタの沿面距離を４．０ｍｍ以上確保しなければならない場合がある。例えば、沿面距離を４．０ｍｍ以上確保するために、外気温サーミスタホルダーの形状を変えず単にホルダーサイズを大きくした場合には、ホルダー自体の材料費が増大するとともに、ホルダー製造のための金型改造コストも大きくなってしまう。【０００５】
この発明は、上記した課題を解決するためになされたものであり、製造コストを抑えつつ、室外機筐体に取り付けられたサーミスタの沿面距離を一定以上確保することができる空気調和機の室外機を提案することを目的とする。
【課題を解決するための手段】
【０００６】
この発明に係る空気調和機の室外機は、冷凍サイクルの構成部品を備える筐体と、前記筐体の表面に取り付けられた外気温サーミスタホルダーと、を備え、前記外気温サーミスタホルダーはサーミスタを収納する収納部を含み、前記収納部の第１外側面における前記サーミスタの固定位置に対応する位置に第１隆起部が形成されており、前記第１外側面の反対側の外側面である第２外側面における前記サーミスタの固定位置に対応する位置に第２隆起部が形成されていることを特徴とする。
【発明の効果】
【０００７】
この発明の空気調和機の室外機によれば、製造コストを抑えつつ、室外機筐体に取り付けられたサーミスタの沿面距離を一定以上確保することができる。
【図面の簡単な説明】
【０００８】
【図１】外気温サーミスタホルダーが取り付けられた空気調和機の室外機の斜視図である。
【図２】図１の外気温サーミスタホルダーの斜視図である。
【図３】図２の外気温サーミスタホルダーを開いたときの斜視図である。
【図４】図３の外気温サーミスタホルダーからサーミスタを取り外したときの斜視図である。
【図５】外気温サーミスタホルダーの収納部の断面図である。
【発明を実施するための形態】
【０００９】
実施の形態１．
以下、本発明の実施の形態１による空気調和機の室外機１について、図面を参照しつつ説明する。
【００１０】
図１は、本実施形態における空気調和機の室外機１の斜視図である。室外機１の筐体２は、側面パネル２ａ、天面パネル２ｂ、底板２ｃなどの部材から構成された箱体である。筐体２内には、冷凍サイクルを構成する圧縮機、熱交換器、ファン、これらを制御する電気回路基板、及び冷媒配管等の構成部品（図示せず）が収納されている。側面パネル２ａの表面には外気温サーミスタホルダー３が取り付けられている。
【００１１】
図２は、外気温サーミスタホルダー３の斜視図である。図３は、外気温サーミスタホルダー３を開いたときの斜視図である。外気温サーミスタホルダー３は、外気温度を検知する外気温サーミスタ８（以下、単にサーミスタ８と称する）を収納する収納部４と、収納部４と一体的に形成され、側面パネル２ａに取り付けられる取付部５と、からなる。収納部４は、第１ケース４ａと第２ケース４ｂとからなる。第１ケース４ａと第２ケース４ｂとは、連結部４ｃによって回動自在に連結されている。取付部５は、第１脚部５ａと第２脚部５ｂとからなる。第１ケース４ａと第１脚部５ａとが一体的に形成されており、第２ケース４ａと第２脚部５ａとが一体的に形成されている。
【００１２】
外気温サーミスタホルダー３が筐体２の側面パネル２ａに取り付けられる時には、第１ケース４ａの開口と第２ケース４ｂの開口とが向かい合わされて閉じられている。閉じられた状態では、第１脚部５ａの取付穴５ｃと第２脚部５ｂの取付穴５ｃとが重なり合っている。外気温サーミスタホルダー３は、この閉じられた状態で、取付穴５ｃへのネジ固定によって筐体２の側面パネル２ａに取り付けられている。外気温サーミスタホルダー３は、平面視で略Ｌ字状である。かかる取付構造によって、収納部４の第１ケース４ａ側の外側の側面と、筐体２の側面パネル２ａとが対面している。
【００１３】
閉じられた状態の収納部４は箱状を呈している。以下、収納部４の第１ケース４ａ側の外側の側面を第１外側面４ａ１、その裏面すなわち内側の面を第１内側面４ａ２と称する。また、収納部４の第２ケース４ｂ側の外側の側面を第２外側面４ｂ１、その裏面すなわち内側の面を第２内側面４ｂ２と称する。また、上記各側面４ａ１、４ａ２、４ｂ１及び４ｂ２に対して垂直な方向を収納部４の厚み方向と称する。収納部４には、その第１外側面４ａ１から第１内側面４ａ２に至る複数の第１スリット６ａが形成されている。また、収納部４には、その第２外側面４ｂ１から第２内側面４ｂ２に至る複数の第２スリット６ｂが形成されている。複数の第１スリット６ａ及び複数の第２スリット６ｂの各々は、サーミスタ８の長手方向に沿って設けられている。第１スリット６ａ又は第２スリット６ｂを通過して外気温サーミスタホルダー３内に進入した外気の温度をサーミスタ８によって検知できる。サーミスタ８の電源配線及び信号配線であるコード８ａが、外気温サーミスタホルダー３の外に伸びている。サーミスタ８によって検知された外気温度を示す信号は、筐体２内に備えられた電気回路基板（図示せず）にコード８ａを介して供給され、冷凍サイクルを構成する圧縮機やファン（図示せず）の回転数変更などの空調制御に用いられる。
【００１４】
図２に示されるように、収納部４の第２外側面４ｂ１には、第２隆起部７ｂが形成されている。収納部４の第１外側面４ａ１には第２隆起部７ｂと同じ形状からなる第１隆起部７ａが形成されている（図５参照）。第１隆起部７ａは、第１外側面４ａ１における、サーミスタ８の固定位置に対応する位置に形成されている。第２隆起部７ｂは、第２外側面４ｂ１における、サーミスタ８の固定位置に対応する位置に形成されている。第１隆起部７ａ及び第２隆起部７ｂは、サーミスタ８の長手方向に沿って設けられている。第１隆起部７ａは複数の隆起片からなり、当該隆起片は、サーミスタ８の長手方向に沿って設けられている複数の第１スリット６ａの間に形成されている。第２隆起部７ｂも複数の隆起片からなり、当該隆起片は、サーミスタ８の長手方向に沿って設けられている複数の第２スリット６ｂの間に形成されている。収納部４の第２内側面４ｂ２には、各々が１対の爪部９１及び９２からなる２組の挟持部９が形成されている。サーミスタ８は挟持部９によって挟持されて、収納部４内に固定されている。
【００１５】
図４は、外気温サーミスタホルダー３からサーミスタ８を取り外したときの斜視図である。第１内側面４ａ２には第１突起部１０ａが形成されている。第１突起部１０ａの少なくとも一部は、挟持部９の一対の爪部９１及び９２の間に形成されている。第１突起部１０ａの頂点はサーミスタ８の表面に当接している（図５参照）。第２内側面４ｂ２には第２突起部１０ｂが形成されている。第２突起部１０ｂは、収容部４が閉じられた状態（図２参照）において第１突起部１０ａと対向する位置に設けられている。第２突起部１０ｂの頂点はサーミスタ８の表面に当接している（図５参照）。第１突起部１０ａは複数の突起片からなり、収納されるサーミスタ８の長手方向に沿って並んで設けられている。当該突起片は、サーミスタ８の長手方向に沿って設けられている複数の第１スリット６ａの間に形成されている。第２突起部１０ｂも複数の突起片からなり、収納されるサーミスタ８の長手方向に沿って並んで設けられている。当該突起片は、サーミスタ８の長手方向に沿って設けられている複数の第２スリット６ｂの間に形成されている。
【００１６】
図５は、外気温サーミスタホルダー３の収納部４の断面図である。サーミスタ８は、収納部４の厚み方向の中心位置に固定されている。収納部４の第１隆起部７ａ及び第２隆起部７ｂは、収納部４の厚み方向断面視で円弧形状に形成されている。当該円弧形状は、円筒状のサーミスタ８の断面円形状と相似形を呈する。第１沿面距離２０ａは、サーミスタ８の表面から第１隆起部７ａの頂点までの距離である。第２沿面距離２０ｂは、サーミスタ８の表面から第２隆起部７ｂの頂点までの距離である。第１沿面距離２０ａ及び第２沿面距離２０ｂの各々は４．０ｍｍ以上である。第１外側面４ａ１からの第１隆起部７ａの高さと、第２外側面４ｂ１からの第２隆起部７ｂの高さとは等しい。
【００１７】
円筒状のサーミスタ８は、挟持部９によって１つの径方向に対して挟み固定されるとともに、これと垂直な径方向においては第１突起部１０ａ及び第２突起部１０ｂによって挟み固定されている。かかる構成においては、第１隆起部７ａの頂点から第１突起部１０ａの頂点までの距離が第１沿面距離２０ａに相当する。また、第２隆起部７ｂの頂点から第２突起部１０ｂの頂点までの距離が第２沿面距離２０ｂに相当する。第１隆起部７ａの頂点から第１突起部１０ａの頂点までの距離、及び第２隆起部７ｂの頂点から第２突起部１０ｂの頂点までの距離の各々は４．０ｍｍ以上である。第１隆起部７ａの頂点から第１突起部１０ａの頂点までの距離と、第２隆起部７ｂの頂点から第２突起部１０ｂの頂点までの距離とは等しい。第１沿面距離２０ａ及び第２沿面距離２０ｂの各々が４．０ｍｍ以上であるので、日本工業規格ＪＩＳ  Ｃ  ９３３５−２−４０  第２９項の規定において、ミクロ環境の汚損度３に該当する機種の場合であっても、その条件を満たすことがきる。
【００１８】
以上、説明したように、本実施形の空気調和機の室外機１は、筐体２の側面パネル２ａに取り付けられた外気温サーミスタホルダー３を備える。外気温サーミスタホルダー３はサーミスタ８を収納する収納部４を含み、収納部４の第１外側面４ａ１におけるサーミスタ８の固定位置に対応する位置に第１隆起部７ａが形成されており、第１外側面４ａ１の反対側の外側面である第２外側面４ｂ１におけるサーミスタ８の固定位置に対応する位置に第２隆起部７ｂが形成されている。かかる構成によれば、サーミスタ８の沿面距離を一定以上確保でき、業界規格に定められた沿面距離条件を満たすことが可能となる。また、サーミスタ８に対応する位置に第１及び第２隆起部７ａ及び７ｂが形成されているので、本実施形態とは異なり既存の外気温サーミスタホルダーの外形全体を大きくした構造と比較して、ホルダー材料費が少なく済み、ホルダー製造用の既存金型の改造コストも少なく済む。それゆえ、製造コストを抑えつつ、筐体パネル２ａに取り付けられたサーミスタ８の沿面距離を一定以上確保することができる。
【００１９】
また、本実施形態の空気調和機の室外機１においては、サーミスタ３の沿面距離が４．０ｍｍ以上である。詳細には、サーミスタ８の表面から第１隆起部７ａの頂点までの距離、及びサーミスタ８の表面から第２隆起部７ｂの頂点までの距離がそれぞれ４．０ｍｍ以上である。かかる構成によれば、日本工業規格ＪＩＳ  Ｃ  ９３３５−２−４０  第２９項の規定に従ってサーミスタの沿面距離を４．０ｍｍ以上確保しなければならない機種においても、当該条件を満たすことができる。
【００２０】
本実施形態の空気調和機の室外機１においては、サーミスタ８が収納部４の厚み方向の中心位置に固定され、且つ、第１外側面４ａ１からの第１隆起部７ａの高さと、第２外側面４ｂ１からの第２隆起部７ｂの高さとが等しい。かかる構成によれば、収納部４の一方の側面からも他方の側面からもサーミスタ８の沿面距離を等しく確保できる。また、第１ケース４ａを作成するための金型と第２ケース４ｂを作成するための金型とを共通化することができ、製造コストを抑えることもできる。
【００２１】
また、本実施形態の空気調和機の室外機１においては、収納部４の第１内側面４ａ１にサーミスタ８を狭持する一対の爪部９１及び９２からなる狭持部９が形成されている。かかる構成によれば、サーミスタ８を収納部４の内部に簡単な構造で容易に固定することができる。簡単な構造であることから、サーミスタホルダー３の製造時間及び製造コストを低減できる。
【００２２】
本実施形態の空気調和機の室外機１においては、挟持部９の一対の爪部９１及び９２の間に設けられた第１突起部１０ａと、第２内側面４ｂ１上における、第１突起部１０ａに対向する位置に設けられた第２突起部１０ｂと、を含み、第１突起部１０ａの頂点及び第２突起部１０ｂの頂点がそれぞれサーミスタ８の表面に当接している。かかる構成によれば、サーミスタ８を収納部４の厚み方向において確実に固定することができる。それゆえ、外気温サーミスタホルダー３を側面パネル２ａに取り付け、室外機１を使用場所に設置した後においても、サーミスタ８の位置ズレを生じさせず、沿面距離を持続的に確保することができる。
【００２３】
本実施形態の空気調和機の室外機１においては、第１隆起部７ａの頂点から第１突起部１０ａの頂点までの距離が４．０ｍｍ以上であり、且つ、第２隆起部７ｂの頂点から第２隆起部１０ｂの頂点までの距離が４．０ｍｍ以上である。かかる構成によれば、日本工業規格ＪＩＳ  Ｃ  ９３３５−２−４０  第２９項の規定において、ミクロ環境の汚損度３に該当する機種であっても、サーミスタの沿面距離を４．０ｍｍ以上確保しなければならないという条件を満たすことができ、且つ、サーミスタ８を収納部４内部に確実に固定して位置ズレを防止できる。
【００２４】
本実施形態の空気調和機の室外機１においては、サーミスタ８が収納部４の厚み方向の中心位置に固定され、且つ、第１隆起部７ａの頂点から第１突起部１０ａの頂点までの距離と、第２隆起部７ｂの頂点から第２隆起部１０ｂの頂点までの距離とが等しい。かかる構成によれば、サーミスタ８を収納部４内部に確実に固定した上で、収納部４の一方の側面からも他方の側面からもサーミスタ８の沿面距離を等しく確保できる。また、第１ケース４ａ側の厚み方向の距離と第２ケース４ｂ側の厚み方向の距離とが等しいので、第１ケース４ａを作成するための金型と第２ケース４ｂを作成するための金型とを共通化することができ、製造コストを抑えることもできる。
【００２５】
本実施形態の空気調和機の室外機１の収納部４には、第１外側面４ａ１から第１内側面４ａ２に至る複数の第１スリット６ａ、及び第２外側面４ｂ１から第２内側面４ｂ２に至る複数の第２スリット６ｂが形成されている。複数の第１スリット６ａ及び複数の第２スリット６ｂは、サーミスタ８の長手方向に沿って設けられている。また、第１隆起部１０ａ及び第２隆起部１０ｂは複数の隆起片からなり、第１外側面４ａ１上の隆起片が複数の第１スリット６ａの間に形成されており、第２外側面４ｂ１上の隆起片が複数の第２スリットの間に形成されている。かかる構成によれば、第１スリット６ａ及び第２スリット６ｂを介して外気を収納部４内に効率良く取り入れてサーミスタ８による外気温の検知精度を維持できるとともに、サーミスタ８の長さ範囲全体に亘って沿面距離を確保できる。
【００２６】
本実施形態の空気調和機の室外機１においては、第１突起部１０ａ及び第２突起部１０ｂの各々は複数の突起片からなり、第１突起部１０ａの突起片は複数の第１スリットの間に形成され、第２突起部１０ｂの突起片は複数の第２スリットの間に形成されている。かかる構成によれば、第１スリット６ａ及び第２スリット６ｂを介して外気を収納部４内に効率良く取り入れてサーミスタ８による外気温の検知精度を維持できるとともに、収納部４の厚み方向においてサーミスタ８を確実に固定して沿面距離を確保できる。
【００２７】
本実施形態の空気調和機の室外機１においては、第１隆起部７ａ及び第２隆起部７ｂの各々は、収納部４の厚み方向断面視で円弧形状である。かかる構成によれば、サーミスタホルダー３を側面パネル２ａに取り付けるとき又は側面パネル２ａから取り外すときに、収納部４の両側面を指でつまんで持った場合であっても、サーミスタ８の沿面距離を確保できるとともに、持ち易く、扱いが便利である。
【００２８】
本実施形態の空気調和機の室外機１においては、サーミスタ８は円柱形状であり、第１隆起部７ａ及び第２隆起部７ｂの各々の、収納部４厚み方向の断面視円弧形状は、サーミスタ８の断面円形状と相似形を呈する。かかる構成によれば、サーミスタ８の表面全体に亘って必要な沿面距離を確保できるとともに、第１隆起部７ａ及び第２隆起部７ｂを形成するための材料費を最小限度に抑えることができる。
【００２９】
本実施形態の空気調和機の室外機１においては、外気温サーミスタホルダー３は、収納部４に一体的に形成されて筐体２の側面パネル２ａに取り付けられる取付部５を含み、平面視略Ｌ字形状である。外気温サーミスタホルダー３は、第１隆起部７ａが設けられている第１外側面４ａ１と側面パネル２ａとが対面するように側面パネル２ａに取り付けられている。かかる構成によれば、筐体２の側面パネル２ａと収納部４の側面とが平行になり、外気温サーミスタホルダー３が側面パネル２ａから大きくはみ出さないので、外気温サーミスタホルダー３が人や物と接触、衝突して外れてしまうリスクを低減できる。また、側面パネル２ａに対面する第１外側面４ａ１に第１隆起部７ａを設けることによって沿面距離を確保しているので、本実施形態とは異なり収納部全体のサイズを大きくして沿面距離を確保する場合に比較すれば、外気温サーミスタホルダー３と筐体２との間に物が挟まり難く外気温サーミスタホルダー３が外れ難いという効果を奏する。
【００３０】
なお、本実施形態の隆起部７ａ及び７ｂは、それぞれ複数の隆起片からなるが、これに限られない。隆起部７ａ及び７ｂはサーミスタ８の固定位置に対応する範囲全体に亘って設けられていれば良く、例えば、サーミスタ８の長手方向に沿って設けられた単一の隆起体とすることもできる。かかる構成によれば、スリット６ａ及び６ｂの形成領域が小さくなることから外気温の検知精度多少の懸念はあるものの、サーミスタ８の長さ範囲全体に亘ってその表面が第１隆起部７ａ及び第２隆起部７ｂによって覆われるので、沿面距離の確保をより確実にすることができる。
【００３１】
本実施形態の突起部１０ａ及び１０ｂは、それぞれ複数の突起片からなるが、これに限られない。突起部１０ａ及び１０ｂはサーミスタ８の固定位置に対応する範囲全体に亘って設けられていれば良く、例えば、サーミスタ８の長手方向に沿って設けられた単一の突起体とすることもできる。かかる構成によれば、スリット６ａ及び６ｂの形成領域が小さくなることから外気温の検知精度低下の懸念があるものの、サーミスタ８の長さ範囲全体に亘ってその表面が突起部１０ａ及び１０ｂによって固定されるので、沿面距離の確保をより確実にすることができる。
【００３２】
本実施形態の室外機１においては、２組の挟持部９を設けているが、これに限られない。例えば、挟持部９は、１組のみ又は３組以上とすることもできる。挟持部９を１組のみとした場合には材料費を低減でき、３組以上とした場合にはサーミスタ８の固定強度を向上させることができる。また、本実施形態の室外機１においては、挟持部９が第１内側面４ａ２に形成されているが、これに限られず、第２内側面４ｂ２に形成されていても良い。この場合においても、本実施形態と同様の効果を奏することができる。また、本実施の形態においては、外気温サーミスタホルダー３は、側面パネル２ａと第１外側面４ａ１とが対面するように固定されているが、これに限られない。外気温サーミスタホルダー３は、側面パネル２ａと第２外側面４ｂ１とが対面するように固定されても良い。この場合でも、本実施形態と同様の効果を奏することができる。
【００３３】
本実施形態においては、サーミスタ３の沿面距離は４．０ｍｍ以上としたが、これに限られない。本発明は、各種の業界規格によって規定される各種の沿面距離の確保のために、各種の外気温サーミスタホルダーに適用可能である。
【符号の説明】
【００３４】
１  空気調和機の室外機、２  筐体、２ａ  側面パネル、２ｂ  天面パネル、２ｃ  底板、３  外気温サーミスタホルダー、４  収納部、４ａ  第１ケース、４ｂ  第２ケース、４ｃ  連結部、４ａ１  第１外側面、４ｂ１  第２外側面、４ａ２  第１内側面、４ｂ２  第２内側面、５  取付部、５ａ  第１脚部、５ｂ  第２脚部、５ｃ  取付穴、６ａ  第１スリット、６ｂ  第２スリット、７ａ  第１隆起部、７ｂ  第２隆起部、８  サーミスタ、８ａ  コード、９  挟持部、９１、９２  爪部、１０ａ  第１突起部、１０ｂ  第２突起部、２０ａ  第１沿面距離、２０ｂ  第２沿面距離
【図１】
2018055725.tif 000003
【図２】
2018055725.tif 000004
【図３】
2018055725.tif 000005
【図４】
2018055725.tif 000006
【図５】
2018055725.tif 000007
【国際調査報告】
2018055725.tif 000008
2018055725.tif 000009